(57)【要約】【課題】リージョナルオンモードに設定されている場合でも、ＤＡＢの放送と同一の放送であるＲＤＳのリージョナル放送へと切り替えることができるラジオ放送受信機を提供する。【解決手段】制御部７はラジオ放送受信機をリージョナルオンモードに設定している。ＤＡＢ受信部５はＤＡＢの放送を受信する。制御部７は、サービス・リンキング情報が、ＤＡＢの放送と同一の放送であるＲＤＳの放送のＰＩコードを示すリンケージ情報を含む場合に、リンケージ情報が示すＰＩコードの地域コードを無視して地域コード以外が一致するＰＩコードの放送をサーチするようＲＤＳ受信部２を制御する。【選択図】図１
2012249277.tif 000002
【特許請求の範囲】
【請求項１】
ＲＤＳの放送局を識別するＰＩコードが付加されて放送されるＲＤＳの放送を受信するＲＤＳ受信部と、
ＤＡＢの放送局を識別するＳＩｄと、識別番号に対してＤＡＢの放送であるかＲＤＳの放送であるかを示す情報とＳＩｄまたはＰＩコードを示す情報とを対応させたサービス・リンキング情報とが伝送されるＤＡＢの放送を受信するＤＡＢ受信部と、
前記ＲＤＳ受信部でＲＤＳの放送を受信する際に、ＰＩコードに含まれている地域コードを含めて指定されたＰＩコードと完全に一致するＰＩコードの放送をサーチするリージョナルオンモードと、地域コードを無視して地域コード以外が指定されたＰＩコードと一致するＰＩコードの放送をサーチするリージョナルオフモードとのいずれかを設定するモード設定部と、
前記サービス・リンキング情報が、ＤＡＢの放送と同一の放送であるＲＤＳの放送のＰＩコードを示すリンケージ情報を含む場合には、前記モード設定部でリージョナルオンモードに設定されている場合であっても、前記リンケージ情報が示すＰＩコードの地域コードを無視して地域コード以外が一致するＰＩコードの放送をサーチするよう前記ＲＤＳ受信部を制御する制御部と、
を備えることを特徴とするラジオ放送受信機。
【請求項２】
前記制御部は、前記リンケージ情報を取得した場合に前記リンケージ情報を取得したことを示すフラグを生成して保持し、前記フラグが保持されている場合に、前記リンケージ情報が示すＰＩコードの地域コード以外が一致するＰＩコードの放送をサーチするよう前記ＲＤＳ受信部を制御することを特徴とする請求項１記載のラジオ放送受信機。
【請求項３】
前記制御部は、前記リンケージ情報を最初に１つ取得した時点で前記リンケージ取得フラグを生成することを特徴とする請求項２記載のラジオ放送受信機。
【請求項４】
前記制御部は、前記ＲＤＳ受信部を制御するＲＤＳ制御部と、前記ＲＤＳ制御部とは別体であり、前記ＤＡＢ受信部を制御すると共に、前記リンケージ情報を取得した場合に前記フラグを生成するＤＡＢ制御部とを含み、
前記ＤＡＢ制御部は前記フラグを前記ＲＤＳ制御部に転送し、前記ＲＤＳ制御部が、前記リンケージ情報が示すＰＩコードの地域コード以外が一致するＰＩコードの放送をサーチするよう前記ＲＤＳ受信部を制御する
ことを特徴とする請求項２または３に記載のラジオ放送受信機。
【請求項５】
ＤＡＢの放送を受信する受信ステップと、
前記受信ステップで受信したＤＡＢの放送による音声を出力する音声出力ステップと、
識別番号に対して、ＤＡＢの放送であるかＲＤＳの放送であるかを示す情報と、ＤＡＢの放送局を識別するＳＩｄまたはＲＤＳの放送局を識別するＰＩコードを示す情報とを対応させたサービス・リンキング情報に基づいて、ＤＡＢの放送と同一の放送であるＲＤＳの放送のＰＩコードを示すリンケージ情報を取得する取得ステップと、
前記取得ステップで前記リンケージ情報を取得したら、前記リンケージ情報を取得したことを示すフラグを生成するフラグ生成ステップと、
前記フラグ生成ステップで前記フラグを生成したら、ＲＤＳの放送を受信する際に、ＰＩコードに含まれている地域コードを含めて指定されたＰＩコードと完全に一致するＰＩコードの放送をサーチするリージョナルオンモードに設定されている場合でも、前記リンケージ情報が示すＰＩコードの地域コードを無視して地域コード以外が一致するＰＩコードのＲＤＳの放送をサーチするサーチステップと、
前記受信ステップで受信するＤＡＢの放送の受信状態を判定する判定ステップと、
前記判定ステップでＤＡＢの放送の受信状態が悪化したと判定したら、前記音声出力ステップで出力する音声から前記サーチステップでサーチしたＲＤＳの放送による音声へと切り替える音声切り替えステップと、
を含むことを特徴とするラジオ放送受信方法。
【請求項６】
前記フラグ生成ステップは第１の制御部にて実行され、
前記第１の制御部が生成した前記フラグを前記第１の制御部とは別体の第２の制御部へと転送する転送ステップをさらに含み、
前記サーチステップは、前記２の制御部による制御で実行される
ことを特徴とする請求項５記載のラジオ放送受信方法。
【発明の詳細な説明】
【技術分野】
【０００１】
本発明は、ＤＡＢ（Digital Audio Broadcasting）と称されているデジタルラジオ放送と、ＲＤＳ（Radio Data System）と称されているアナログのＦＭラジオ放送の双方を受信することができるラジオ放送受信機及びラジオ放送受信方法に関する。
【背景技術】
【０００２】
欧州では、デジタルラジオ放送のＤＡＢとＦＭラジオ放送のＲＤＳが普及しており、ＤＡＢの放送とＲＤＳの放送との双方を受信することができるラジオ放送受信機（以下、共用ラジオ放送受信機と呼ぶことがある）が発売されている。ＲＤＳはCENELEC規格（EN50067）に従ったラジオ放送であり、ＤＡＢはEureka 147規格に従ったラジオ放送である。ＤＡＢとＲＤＳとで同じ番組が同時に放送される、いわゆるサイマル放送が行われている。共用ラジオ放送受信機においては、ＤＡＢの方が高音質であることから通常はＤＡＢで放送波を受信し、ＤＡＢの受信状態が悪化した場合にＲＤＳに切り替えるようにしている。
【０００３】
ＤＡＢにおいては、ＳＩｄ（Service Identifier）と称される識別コードによって放送局が特定される。ＲＤＳにおいては、ＰＩ（Program Identifier）コードと称される識別コードによって放送局が特定される。サイマル放送されている同一の放送に対しては、ＳＩｄとＰＩコードは同じコードとなっている。ＳＩｄとＰＩコードは１６進数の４桁で表される。４桁のコードの内、１桁目は国コード、２桁目は地域コード、３，４桁目は放送局コードを示している。例えばＳＩｄとＰＩコードがC201であるとすると、Cが国コードであり、2が地域コードであり、01が放送局コードである。
【０００４】
このように、ＳＩｄとＰＩコードは同じコードとなっているため、共用ラジオ放送受信機においては、ＤＡＢの受信状態が悪化した場合に同一の放送（番組）のＲＤＳに切り替えることができる。例えば特許文献１には、共用ラジオ放送受信機におけるＤＡＢからＲＤＳへの切り替えについて記載されている。
【先行技術文献】
【特許文献】
【０００５】
【特許文献１】特開２０００−１３４１１９号公報
【発明の概要】
【発明が解決しようとする課題】
【０００６】
上記のように、ＳＩｄとＰＩコードとは同じコードであるのが基本であるが、同一の放送局の放送であってもＰＩコードがＳＩｄと異なった状態で放送される場合がある。さらに、１つのＳＩｄに対して異なる複数のＰＩコードが対応する場合もある。具体的には、地域が異なる場合や、ニュースのような特定の放送内容の時間帯のみＰＩコードの２桁目のみ変化した複数のＰＩコードが存在する場合がある。このように、４桁のコードの内の２桁目の地域コードが異なる状態の複数のＰＩコードで放送されるものをリージョナル放送と称している。
【０００７】
従来の共用ラジオ放送受信機において、ＤＡＢのＳＩｄに対応したＲＤＳのＰＩコードの放送をサーチする際に、地域コードを含めてＳＩｄと完全に一致するＰＩコードの放送をサーチするリージョナルオンというモードと、地域コードを無視してＰＩコードの放送をサーチするリージョナルオフというモードとがある。
【０００８】
なお、リージョナルオフモードは、ＲＤＳ局からＲＤＳ局へ切り替えるとき、具体的にはＲＤＳの放送を受信しているとき受信状態が悪くなった場合に、受信している地域の地域放送やそのとき聴いている放送と放送内容が異なるニュース等の特定放送へ自動に切り替え、同じ系列の放送を継続して聴きたいときに有効となる。詳細に説明すると、リージョナル関係にある同じ系列の放送局はほとんど同じ内容の放送をしているが、例えば夕方のある５分間程度の特定時間のみ違う内容の放送（地方ニュース等）を行っている。このためリージョナルオフモードでは時間帯によっては同系列放送波自動切り替え（ＡＦ（Alternative Frequencies））切り替えによって勝手に違う放送に変わってしまう。このように時間帯によっては放送内容が変化する可能性があるが、関連放送全てを対象に切り替えさせたいユーザはリージョナル設定をオフに選択する。
【０００９】
従来の共用ラジオ放送受信機においては、リージョナルオンモードに設定した状態でＤＡＢの受信状態が悪化してＲＤＳに切り替えようとした場合に、ＳＩｄと同じコードのＰＩコードが存在せず、地域コードが異なる同一の放送のリージョナル放送が存在する場合にＲＤＳに切り替えることができないという問題点があった。
【００１０】
本発明はこのような問題点に鑑み、地域コードを含めてＳＩｄと完全に一致するＰＩコードの放送をサーチするリージョナルオンモードに設定されている場合であっても、ＤＡＢの放送と同一の放送であるＲＤＳのリージョナル放送へと切り替えることができるラジオ放送受信機及びラジオ放送受信方法を提供することを目的とする。
【課題を解決するための手段】
【００１１】
本発明は、上述した従来の技術の課題を解決するため、ＲＤＳの放送局を識別するＰＩコードが付加されて放送されるＲＤＳの放送を受信するＲＤＳ受信部（２）と、ＤＡＢの放送局を識別するＳＩｄと、識別番号に対してＤＡＢの放送であるかＲＤＳの放送であるかを示す情報とＳＩｄまたはＰＩコードを示す情報とを対応させたサービス・リンキング情報とが伝送されるＤＡＢの放送を受信するＤＡＢ受信部（５）と、前記ＲＤＳ受信部でＲＤＳの放送を受信する際に、ＰＩコードに含まれている地域コードを含めて指定されたＰＩコードと完全に一致するＰＩコードの放送をサーチするリージョナルオンモードと、地域コードを無視して地域コード以外が指定されたＰＩコードと一致するＰＩコードの放送をサーチするリージョナルオフモードとのいずれかを設定するモード設定部（７，７１,７２）と、前記サービス・リンキング情報が、ＤＡＢの放送と同一の放送であるＲＤＳの放送のＰＩコードを示すリンケージ情報を含む場合には、前記モード設定部でリージョナルオンモードに設定されている場合であっても、前記リンケージ情報が示すＰＩコードの地域コードを無視して地域コード以外が一致するＰＩコードの放送をサーチするよう前記ＲＤＳ受信部を制御する制御部（７，７１）とを備えることを特徴とするラジオ放送受信機を提供する。
【００１２】
上記のラジオ放送受信機において、前記制御部は、前記リンケージ情報を取得した場合に前記リンケージ情報を取得したことを示すフラグを生成して保持し、前記フラグが保持されている場合に、前記リンケージ情報が示すＰＩコードの地域コード以外が一致するＰＩコードの放送をサーチするよう前記ＲＤＳ受信部を制御することが好ましい。
なお、前記制御部は、前記リンケージ情報を最初に１つ取得した時点で前記リンケージ取得フラグを生成することが好ましい。
【００１３】
上記のラジオ放送受信機において、前記制御部を、前記ＲＤＳ受信部を制御するＲＤＳ制御部（７１）と、前記ＲＤＳ制御部とは別体であり、前記ＤＡＢ受信部を制御すると共に、前記リンケージ情報を取得した場合に前記フラグを生成するＤＡＢ制御部（７２）とを含むように構成してもよい。この場合、前記ＤＡＢ制御部は前記フラグを前記ＲＤＳ制御部に転送し、前記ＲＤＳ制御部が、前記リンケージ情報が示すＰＩコードの地域コード以外が一致するＰＩコードの放送をサーチするよう前記ＲＤＳ受信部を制御することが好ましい。
【００１４】
また、本発明は、上述した従来の技術の課題を解決するため、ＤＡＢの放送を受信する受信ステップと、前記受信ステップで受信したＤＡＢの放送による音声を出力する音声出力ステップと、識別番号に対して、ＤＡＢの放送であるかＲＤＳの放送であるかを示す情報と、ＤＡＢの放送局を識別するＳＩｄまたはＲＤＳの放送局を識別するＰＩコードを示す情報とを対応させたサービス・リンキング情報に基づいて、ＤＡＢの放送と同一の放送であるＲＤＳの放送のＰＩコードを示すリンケージ情報を取得する取得ステップと、前記取得ステップで前記リンケージ情報を取得したら、前記リンケージ情報を取得したことを示すフラグを生成するフラグ生成ステップと、前記フラグ生成ステップで前記フラグを生成したら、ＲＤＳの放送を受信する際に、ＰＩコードに含まれている地域コードを含めて指定されたＰＩコードと完全に一致するＰＩコードの放送をサーチするリージョナルオンモードに設定されている場合でも、前記リンケージ情報が示すＰＩコードの地域コードを無視して地域コード以外が一致するＰＩコードのＲＤＳの放送をサーチするサーチステップと、前記受信ステップで受信するＤＡＢの放送の受信状態を判定する判定ステップと、前記判定ステップでＤＡＢの放送の受信状態が悪化したと判定したら、前記音声出力ステップで出力する音声から前記サーチステップでサーチしたＲＤＳの放送による音声へと切り替える音声切り替えステップとを含むことを特徴とするラジオ放送受信方法を提供する。
【００１５】
上記のラジオ放送受信方法において、前記フラグ生成ステップは第１の制御部（７２）にて実行され、前記第１の制御部が生成した前記フラグを前記第１の制御部とは別体の第２の制御部（７１）へと転送する転送ステップをさらに含み、前記サーチステップは、前記２の制御部による制御で実行されるようにしてもよい。
【発明の効果】
【００１６】
本発明のラジオ放送受信機及びラジオ放送受信方法によれば、地域コードを含めてＳＩｄと完全に一致するＰＩコードの放送をサーチするリージョナルオンモードに設定されている場合であっても、ＤＡＢの放送と同一の放送であるリージョナル放送へと切り替えることができる。従って、本発明のラジオ放送受信機及びラジオ放送受信方法によれば、ＤＡＢの受信状態が悪化した場合に無音になってしまうことを防ぐことができる。
【図面の簡単な説明】
【００１７】
【図１】本発明の第１実施形態のラジオ放送受信機を示すブロック図である。
【図２】ＤＡＢにおけるＦＩＧ０／６のサービス・リンキング情報のデータフォーマットを示す図である。
【図３】サービス・リンキング情報の概念図である。
【図４】図１に示す制御部７がＲＤＳ受信部２及びＤＡＢ受信部５を制御する際の処理を示すフローチャートである。
【図５】本発明の第２実施形態のラジオ放送受信機を概念的に示すブロック図である。
【図６】図５に示すＤＡＢ制御部７２による処理を示すフローチャートである。
【図７】図５に示すＲＤＳ制御部７１による処理を示すフローチャートである。
【発明を実施するための形態】
【００１８】
以下、本発明のラジオ放送受信機及びラジオ放送受信方法の各実施形態について、添付図面を参照して説明する。
【００１９】
＜第１実施形態＞
まず、図１を用いて、デジタルラジオ放送であるＤＡＢとアナログのＦＭラジオ放送であるＲＤＳの双方を受信可能な第１実施形態のラジオ放送受信機の構成について説明する。図１において、ＲＤＳ受信部２は、アンテナ１より入力されたＲＤＳの放送波を受信して中間周波信号（ＩＦ信号）をＲＤＳ信号処理部３へと供給する。ＲＤＳ信号処理部３は検波部３１と受信状態検出部３２とを有する。検波部３１は入力されたＩＦ信号を検波してＲＤＳの所定の周波数（放送局）の放送に対応した音声信号を出力する。
【００２０】
ＲＤＳの放送波には、ＲＤＳの放送局を識別するＰＩコードが付加されている。具体的には、放送番組の放送波に対してＰＩコード等の各種の付加データが重畳された状態で放送される。ＰＩコードによって受信している放送局を知ることができる。
【００２１】
受信状態検出部３２は、検波部３１からの出力に基づいてＲＤＳの受信状態を検出する。具体的には、受信状態検出部３２は例えば電界強度を検出する。後述する制御部７は、電界強度に基づいてＲＤＳの受信が正常に行えるか否かを判定することが可能である。受信状態検出部３２はＳメータであってよい。受信状態検出部３２による受信状態の検出は電界強度の検出に限定されるものではない。受信状態検出部３２による検出信号は制御部７へと供給される。ＲＤＳ信号処理部３から出力された音声信号は切り替え部１１の端子ａへと入力される。
【００２２】
一方、ＤＡＢ受信部５は、アンテナ４より入力されたＤＡＢの放送波を受信して中間周波信号（ＩＦ信号）をＤＡＢ信号処理部６へと供給する。ＤＡＢ信号処理部６は復調部６１と受信状態検出部６２とＤ／Ａ変換部６３とを有する。復調部６１は入力されたＩＦ信号を復調してＤＡＢの所定周波数（放送局）の放送に対応したデジタル音声信号を出力する。Ｄ／Ａ変換部６３は復調部６１から出力されたデジタル音声信号をアナログ音声信号に変換する。
【００２３】
ＤＡＢの放送波には、ＤＡＢ放送局を識別するＳＩｄと、リンケージ・セットナンバーと呼ばれている識別番号に対してＤＡＢの放送であるかＲＤＳの放送であるかを示す情報とＳＩｄまたはＰＩコードを示す情報とを対応させたサービス・リンキング情報等の各種の付加データが含まれている。サービス・リンキング情報は、ＤＡＢの放送と同一の放送であるＲＤＳの放送のＰＩコードを示すリンケージ情報（ＦＭリンケージ情報）を含むことがある。サービス・リンキング情報及びリンケージ情報の詳細については後述する。
【００２４】
リンケージ・セットナンバーは図２に示すＦＩＧ０/６のサービス・リンキング情報のデータフォーマットに含まれている情報で、どのＤＡＢのＳＩｄとＦＭのＰＩコードがリンクしているかを関連付けている識別番号である。ラジオ放送受信機は、この識別番号を参照することで、ＤＡＢのＳＩｄとＦＭのＰＩコードを知ることができる。ＳＩｄによって受信しているＤＡＢの放送局を知ることができ、サービス・リンキング情報に基づいてサイマル放送されているＲＤＳのＰＩコードも知ることができる。
【００２５】
受信状態検出部６２は、復調部６１からの出力に基づいてＤＡＢの受信状態を検出する。具体的には、受信状態検出部６２は例えば復調した信号のエラーレートを検出する。制御部７は、エラーレートに基づいてＤＡＢの受信が正常に行えるか否かを判定することが可能である。受信状態検出部６２による受信状態の検出はエラーレートの検出に限定されるものではない。受信状態検出部６２による検出信号は制御部７へと供給される。ＤＡＢ信号処理部６から出力された音声信号は切り替え部１１の端子ｂへと入力される。
【００２６】
制御部７は装置各部を制御する。制御部７は、ＲＤＳ受信部２とＤＡＢ受信部５それぞれのラジオ放送の受信を制御する。制御部７は、検波部３１によるＲＤＳのＩＦ信号の検波を制御し、復調部６１によるＤＡＢのＩＦ信号の復調を制御する。制御部７は、切り替え部１１による端子ａ，ｂの切り替えを制御する。制御部７は、切り替え部１１による音声信号の切り替えを制御する切り替え制御部となっている。制御部７は、増幅器１２における増幅度を制御してスピーカ１３より出力される音量を制御する。制御部７はマイクロコンピュータによって構成することができる。
【００２７】
制御部７には、ラジオ放送受信機を動作させるための各種のソフトウェア（コンピュータプログラム）を格納しているＲＯＭ８が接続されている。制御部７はＲＯＭ８に格納されたプログラムに従ってラジオ放送受信機の動作を制御する。また、制御部７には、操作部９と、液晶ディスプレイ等で構成される表示部１０が接続されている。操作部９は、ラジオ放送受信機の装置本体に設けられた各種の操作釦であってもよいし、リモートコントローラであってもよい。制御部７は、受信している放送局名等の各種の情報を表示部１０に表示するよう表示部１０を制御する。
【００２８】
制御部７は、通常、ＤＡＢ受信部５が受信したラジオ放送の音声信号を出力するよう、切り替え部１１が端子ｂに接続するように切り替え部１１を制御する。制御部７は、受信状態検出部６２からの検出信号に基づいてＤＡＢの放送の受信状態が悪化したか否かを判定する。例えばエラーレートが所定の閾値を超えた場合に受信状態が悪化したと判定すればよい。制御部７は、ＤＡＢの放送の受信状態が悪化したと判定した場合、ＲＤＳ受信部２が受信したラジオ放送の音声信号を出力するよう、切り替え部１１が端子ａに接続するように切り替え部１１を制御する。切り替え部１１は、制御部７による切り替え制御によって、ＲＤＳによる音声信号とＤＡＢによる音声信号とを選択的に出力する。
【００２９】
切り替え部１１の端子ａまたはｂを介して出力された音声信号は増幅部１２によって増幅され、スピーカ１３より発音される。
【００３０】
制御部７には、検波部３１からＲＤＳ受信部２が受信しているＲＤＳのＰＩコードが入力される。また、制御部７には、復調部６１からＤＡＢ受信部５が受信しているＤＡＢのＳＩｄと、サービス・リンキング情報とが入力される。なお、制御部７にはサービス・リンキング情報以外のＤＡＢの放送で伝送される各種の付加データも入力されるが、本実施形態とは直接的に関係しないので説明を省略する。
【００３１】
制御部７は、ユーザによる操作部９の操作に基づいて、ＤＡＢからＲＤＳへの切り替えの際に、地域コードを含めて指定されたＳＩｄと完全に一致するＰＩコードの放送をサーチするリージョナルオンモードと、地域コードを無視して地域コード以外が指定されたＰＩコードと一致するＰＩコードの放送をサーチするリージョナルオフモードとのいずれかに設定することができる。制御部７は、ＲＤＳ受信部２でＲＤＳの放送をサーチする際に、リージョナルオンモードとリージョナルオフモードとのいずれかを設定するモード設定部となっている。本実施形態では、ラジオ放送受信機はリージョナルオンモードに設定されているとする。
【００３２】
ＤＡＢにおいては、ＦＩＧ（Flag Information Group）と称されるデータによって種々の情報を取得できるようになっている。サイマル放送をしているＤＡＢのＳＩｄとＲＤＳのＰＩコードとの対応関係は、ＦＩＧ０／６と称されるデータによって知ることができる。ＦＩＧ０／６のデータは、リンケージ・セットナンバーに対してＤＡＢの放送であるかＲＤＳの放送であるかを示す情報とＳＩｄまたはＰＩコードを示す情報とを対応させたサービス・リンキング情報を記述している。図２は、ＦＩＧ０／６のデータフォーマットを示している。ＦＩＧ０／６における０／６とは、図２に示すType 0 field for extension 6を意味する。
【００３３】
図３は、図２のＦＩＧ０／６で記述されているサービス・リンキング情報を理解しやすいよう概念的に示したものである。図３はサービス・リンキング情報の単なる例であり、必ずしも実際の情報を示すものではない。図３に示すサービス・リンキング情報をＳＬＩと称することとする。図３に示すように、サービス・リンキング情報ＳＬＩは、リンケージ・セットナンバー（ＬＳＮ）と、そのＬＳＮのラジオ放送がＤＡＢであるのかＲＤＳであるかを示す情報と、ＳＩｄまたはＰＩコードを示す情報とを含む。それぞれの段のサービス・リンキング情報ＳＬＩを区別するため、符号(1)〜(7)を付している。
【００３４】
図３における(1)で示す１段目のＬＳＮが“１”のデータは、ＤＡＢで“C221”なるＳＩｄで放送されていることを示している。ＤＡＢ受信部５は、１段目に記載されているＬＳＮが“１”、ＳＩｄが“C221”の放送を受信しているとする。(2)で示す２段目のＬＳＮが“２”のデータは、ＤＡＢで“C231”なるＳＩｄで放送されていることを示している。(3)で示す３段目のＬＳＮが“１”のデータは、ＲＤＳで“C201”なるＰＩコードで放送されていることを示している。
【００３５】
１段目のＬＳＮが“１”のデータと、３段目のＬＳＮが“１”のデータは、ＬＳＮが同じであるため、サイマル放送されている同一の放送である。同様に、(5)で示す５段目から(7)で示す７段目においても、ＬＳＮが“１”であるので、サイマル放送されている同一の放送である。即ち、図３より、ＲＤＳのＰＩコードが“C201”，“C301”，“C401”，“C501”の放送はリージョナル放送であり、ＤＡＢのＳＩｄが“C221”の放送と同一の放送であることが分かる。図３の例では、２段目のＤＡＢのＳＩｄが“C231”の放送と、(4)で示す４段目のＤＡＢのＳＩｄが“C291”の放送も同一の放送である。
【００３６】
図３において、３段目，５段目〜７段目のデータは、１段目のＬＳＮが“１”のＤＡＢとサイマル放送されているＲＤＳ（ＦＭ放送）のＰＩコードを示すことから、ＦＭリンケージ情報という。図３においてＦＭリンケージ情報をＦＭＬＩと称することとする。なお、サービス・リンキング情報がＦＭリンケージ情報を含まないこともある。具体的には、図３の例では、１段目、３段目、５〜７段目のＬＳＮが“１”の情報が送信されず、２段目、４段目のＬＳＮが“２”の情報のみ送信されている場合がＦＭリンケージ情報を含まない場合に該当する。
【００３７】
本実施形態のラジオ放送受信機は、ＤＡＢの放送の受信状態が悪化した際に即座にＲＤＳの放送に切り替えることができるよう、ラジオ放送受信機の起動後にＤＡＢの放送の受信状態に良好であってもＦＭリンケージ情報に基づいて受信しているＤＡＢの放送と同一の放送のＲＤＳの放送をサーチするように構成されている。
【００３８】
次に、図４を用いて、ＤＡＢの放送と同一の放送であるＲＤＳの放送をサーチするために制御部７がＲＤＳ受信部２及びＤＡＢ受信部５を制御する際の処理について説明する。ラジオ放送受信機の電源が投入されると、図４の処理が開始される。図４において、制御部７は、ステップＳ１にて、ＤＡＢ受信部５にＤＡＢの放送を受信するよう指示する。これにより、ＤＡＢ受信部５はＤＡＢの放送の受信を開始する。ここでは図示を省略しているが、制御部７は同様にＲＤＳ受信部２にＲＤＳの放送を受信するよう指示し、ＲＤＳ受信部２はＲＤＳの放送の受信を開始する。
【００３９】
制御部７は、ステップＳ２にて、上述したサービス・リンキング情報が含むことがあるＦＭリンケージ情報を取得したか否かを判定する。ＤＡＢの放送の受信開始直後にＦＭリンケージ情報を取得できないことがあるので、ステップＳ１とステップＳ２との間に所定の待機時間を設けることが好ましい。制御部７は、ステップＳ２でＦＭリンケージ情報を取得した場合には（Yes）、ステップＳ３にて、ＦＭリンケージ情報を取得したことを示すＦＭリンケージ取得フラグを生成し、ＦＭリンケージ取得フラグとＦＭリンケージ情報から得たＰＩコードとを記憶する。ＦＭリンケージ取得フラグとＰＩコードを制御部７内に記憶してもよいし、制御部７に接続された図示していない記憶部に記憶させてもよい。
【００４０】
図３で説明したサービス・リンキング情報ＳＬＩの例では、ＤＡＢのＳＩｄが“C221”の放送と、ＲＤＳのＰＩコードが“C201”，“C301”，“C401”，“C501”とは、ＬＳＮが全て“１”であるので同一の放送である。しかしながら、サービス・リンキング情報は複数のパケットに分割して伝送されるため、複数のＦＭリンケージ情報ＦＭＬＩを一時に取得できるとは限らない。また、仮にＰＩコードが“C201”であるＦＭリンケージ情報ＦＭＬＩを取得した時点で、他にＦＭリンケージ情報ＦＭＬＩが存在するのか、他にいくつのＦＭリンケージ情報ＦＭＬＩが存在するのかは分からない。そこで、制御部７は、ＤＡＢ受信部５で受信しているＤＡＢの放送のＬＳＮと同じＬＳＮのＦＭリンケージ情報ＦＭＬＩを最初に１つ取得した時点でＦＭリンケージ取得フラグを生成し、ＦＭリンケージ取得フラグと取得したＦＭリンケージ情報ＦＭＬＩが示すＰＩコードとを保持しておく。
【００４１】
制御部７は、ステップＳ４にて、ＲＤＳ受信部２におけるサーチをリンケージサーチに設定する。取得したＦＭリンケージ情報ＦＭＬＩのＰＩコードが“C201”であるとすると、リンケージサーチとは、“C201”と完全に一致するＰＩコードのＲＤＳの放送をサーチするのではなく、２桁目の地域コードを無視して２桁目以外のコードが一致するＰＩコードのＲＤＳの放送をサーチすることである。
【００４２】
一方、制御部７は、ステップＳ２でＦＭリンケージ情報を取得しなかった場合（No）、ステップＳ５にて、ＲＤＳ受信部２におけるサーチを通常サーチに設定する。通常サーチとは、ＤＡＢ受信部５が受信しているＳＩｄ“C221”と完全に一致するＰＩコードのＲＤＳの放送をサーチすることである。
【００４３】
以上のステップＳ１〜Ｓ５の処理は、ラジオ放送受信機がリージョナルオンモードに設定されている場合でも実行される。即ち、モード設定部である制御部７がリージョナルオンモードに設定していたとしても、ステップＳ２にてＦＭリンケージ情報を取得した場合にはステップＳ４にて強制的にリンケージサーチに設定される。
【００４４】
次に、制御部７は、ステップＳ６以降の処理で、ＲＤＳ受信部２にＲＤＳの放送のサーチを実行させる。制御部７は、ステップＳ６にて、ＲＤＳ受信部２に所定の周波数を設定または周波数を変更してサーチを行わせる。ＲＤＳ受信部２がステップＳ６で最初にサーチを行う場合には、予めＲＤＳ受信部２が受信していた周波数をサーチさせる。制御部７は、ステップＳ７にて、ＲＤＳの受信状態が良好か否かを判定する。ＲＤＳの受信状態が良好であれば（Yes）、制御部７は、ステップＳ８にてＰＩコードを取り込む。ＲＤＳの受信状態が良好でなければ（No）、ステップＳ６に戻り、ステップＳ６にて周波数を変更した上でステップＳ７以降の処理を実行する。
【００４５】
制御部７は、ステップＳ９にて、リンケージサーチの設定であるか否かを判定する。リンケージサーチの設定であると判定されれば（Yes）、制御部７は、ステップＳ１０にてＲＤＳの全周波数帯のサーチが完了したか否かを判定する。全周波数帯のサーチが完了したと判定されれば（Yes）、制御部７は、ステップＳ１１にて、取得したＰＩコードが、ステップＳ３にて保持しておいたＰＩコードと地域コード以外が一致するか否かを判定する。地域コード以外が一致すると判定されれば（Yes）、制御部７は、ステップＳ１３にてサーチを完了させ、地域コード以外が一致すると判定されなければ（No）、ステップＳ６に戻って周波数を変更し、ステップＳ７以降の処理を繰り返す。
【００４６】
一方、制御部７は、ステップＳ９にてリンケージサーチの設定であると判定されなければ（No）、また、ステップＳ１０にて全周波数帯のサーチが完了したと判定されなければ（No）、ステップＳ１２にて、取得したＰＩコードがＤＡＢ受信部５が受信している放送のＳＩｄと完全に一致するか否かを判定する。完全に一致すると判定されれば（Yes）、制御部７は、ステップＳ１３に処理を移してサーチを完了させる。完全に一致すると判定されなければ（No）、ステップＳ６に戻り、ステップＳ６にて周波数を変更した上でステップＳ７以降の処理を繰り返す。
【００４７】
以上により、ＤＡＢ受信部５がＤＡＢの放送を良好に受信している状態でＲＤＳ受信部２におけるサーチが完了している。ＤＡＢの受信状態が悪化した場合には、制御部７は、切り替え部１１が端子ａに接続するよう制御して、ＲＤＳ受信部２からのＲＤＳの音声信号を出力するよう制御する。なお、制御部７は、ＲＤＳ受信部２で受信しているＲＤＳの放送のＰＩコードと同じＳＩｄを復調部６１から取得したら、切り替え部１１が端子ｂに接続するよう制御してＤＡＢの音声信号へと戻すよう制御する。
【００４８】
第１実施形態のラジオ放送受信機及びラジオ放送受信方法によれば、リージョナルオンモードに設定されている場合であっても、ＦＭリンケージ情報を取得した場合にはＲＤＳ受信部２でのサーチを強制的にリンケージサーチに設定するので、ＤＡＢの放送と同一の放送であるＲＤＳのリージョナル放送へと切り替えることができる。従って、ＤＡＢの受信状態が悪化した場合に無音になってしまうことを防ぐことができる。ユーザは、ＤＡＢの放送で聴取していた番組を引き続きＲＤＳの放送で聴取することが可能となる。
【００４９】
＜第２実施形態＞
上述した第１実施形態においては、１つの制御部７によってＲＤＳ受信部２側の各部とＤＡＢ受信部５側の各部を制御している。第２実施形態は、ＲＤＳ受信部２側の各部を制御する制御部と、ＤＡＢ受信部５側の各部を制御する制御部とを別々に設け、双方の制御部でラジオ放送受信機の全体を制御するように構成したものである。
【００５０】
図５は、第２実施形態のラジオ放送受信機を概念的に示している。図５において、図１と同一部分には同一符号を付し、その説明を適宜省略する。図５に示すように、ＲＤＳ制御部７１は、少なくともＲＤＳ受信部２とＲＤＳ信号処理部３とを制御する。ＤＡＢ制御部７２は、少なくともＤＡＢ受信部５とＤＡＢ信号処理部６とを制御する。ＲＤＳ制御部７１とＤＡＢ制御部７２とは別体であり、互いに接続されている。ＲＤＳ制御部７１とＤＡＢ制御部７２のそれぞれはマイクロコンピュータによって構成することができる。
【００５１】
図５に示されていない図１の各部はＲＤＳ制御部７１とＤＡＢ制御部７２とのいずれで制御してもよいし、さらに別の制御部を設けてもよい。リージョナルオンモードとリージョナルオフモードとのいずれかを設定するモード設定部や切り替え部１１を制御する切り替え制御部は、ＲＤＳ制御部７１とＤＡＢ制御部７２とのいずれであってもよいし、別の制御部あってもよい。
【００５２】
図５に示す第２実施形態においては、ＤＡＢの放送と同一の放送であるＲＤＳの放送をサーチするために、ＲＤＳ制御部７１とＤＡＢ制御部７２とが連携して処理を実行するように構成されている。
【００５３】
まず、図６を用いてＤＡＢ制御部７２による処理について説明する。図６において、図４と共通する部分は説明を省略することがある。ラジオ放送受信機の電源が投入されると、図６の処理が開始される。図６において、ＤＡＢ制御部７２は、ステップＳ２１にて、ＤＡＢ受信部５にＤＡＢの放送を受信するよう指示する。これにより、ＤＡＢ受信部５はＤＡＢの放送の受信を開始する。
【００５４】
ＤＡＢ制御部７２は、ステップＳ２２にて、ＦＭリンケージ情報を取得したか否かを判定する。ＤＡＢ制御部７２は、ステップＳ２２でＦＭリンケージ情報を取得した場合には（Yes）、ステップＳ２３にて、ＦＭリンケージ情報を取得したことを示すＦＭリンケージ取得フラグを生成し、ＦＭリンケージ取得フラグとＦＭリンケージ情報から得たＰＩコードとをＲＤＳ制御部７１に転送する。ＦＭリンケージ取得フラグとＰＩコードはＲＤＳ制御部７１で保持される。ＤＡＢ制御部７２は、ステップＳ２４にて、ＲＤＳ受信部２におけるサーチをリンケージサーチとするようＲＤＳ制御部７１に指示して終了する。
【００５５】
一方、ＤＡＢ制御部７２は、ステップＳ２２でＦＭリンケージ情報を取得しなかった場合（No）、ステップＳ２５にて、ＲＤＳ受信部２におけるサーチを通常サーチとするようＲＤＳ制御部７１に指示して終了する。
【００５６】
以上のステップＳ２１〜Ｓ２５の処理は、ラジオ放送受信機がリージョナルオンモードに設定されている場合でも実行される。即ち、モード設定部がリージョナルオンモードに設定していたとしても、ステップＳ２２にてＦＭリンケージ情報を取得した場合にはステップＳ２４にて強制的にリンケージサーチに設定するようＲＤＳ制御部７１に指示する。
【００５７】
次に、図７を用いてＲＤＳ制御部７１による処理について説明する。図７において、図４と共通する部分は説明を省略することがある。図７において、ＲＤＳ制御部７１は、ステップＳ３１にて、サーチの指示があったか否かを判定する。ステップＳ３１でサーチの指示がなければ（No）、ステップＳ３１に戻ってステップＳ３１の処理を繰り返す。ステップＳ３１でサーチの指示があったと判定されれば（Yes）、ＲＤＳ制御部７１は、ステップＳ３２にて、ＲＤＳ受信部２に所定の周波数を設定または周波数を変更してサーチを行わせる。ＲＤＳ受信部２がステップＳ３２で最初にサーチを行う場合には、予めＲＤＳ受信部２が受信していた周波数をサーチさせる。
【００５８】
ステップＳ３３及びステップＳ３４は図４のステップＳ７及びステップＳ８と同様である。ＲＤＳ制御部７１は、ステップＳ３５にて、リンケージサーチの指示があったか否かを判定する。リンケージサーチの指示があったと判定されれば（Yes）、ＲＤＳ制御部７１は処理をステップＳ３６に移行させる。リンケージサーチの指示があったと判定されなければ（No）、ＲＤＳ制御部７１は処理をステップＳ３８に移行させる。ステップＳ３３〜ステップＳ３９は図４のステップＳ７〜ステップＳ１３と同様である。
【００５９】
以上のように、ＤＡＢ制御部７２がＦＭリンケージ情報を取得した場合に、ＲＤＳ制御部７１にＦＭリンケージ取得フラグとＦＭリンケージ情報から得たＰＩコードとを転送するので、ＲＤＳ制御部７１はＲＤＳ受信部２にリンケージサーチを行わせることができる。これにより、ＤＡＢ受信部５がＤＡＢの放送を良好に受信している状態でＲＤＳ受信部２におけるサーチが完了している。ＤＡＢの受信状態が悪化した場合には、切り替え制御部は、切り替え部１１が端子ａに接続するよう制御して、ＲＤＳ受信部２からのＲＤＳの音声信号を出力するよう制御する。
【００６０】
第２実施形態のラジオ放送受信機及びラジオ放送受信方法によれば、リージョナルオンモードに設定されている場合であっても、ＤＡＢの放送と同一の放送であるＲＤＳのリージョナル放送へと切り替えることができる。第２実施形態のラジオ放送受信機及びラジオ放送受信方法によれば、ＲＤＳ受信部２を制御する制御部とＤＡＢ受信部５を制御する制御部とが別々に設けられている構成においても、ＲＤＳのリージョナル放送への切り替えを実現することができる。
【００６１】
以上説明した第１，第２実施形態のラジオ放送受信機で実行されるラジオ放送の受信動作（ラジオ放送受信方法）について改めて説明する。ラジオ放送受信機の電源投入後、ＲＤＳ受信部２はＲＤＳの放送を受信し、ＤＡＢ受信部５はＤＡＢの放送を受信する（受信ステップ）。切り替え部１１は初期状態で端子ｂに接続しているのでＤＡＢの放送の音声信号がスピーカ１３へと供給され、スピーカ１３はＤＡＢの放送による音声を出力する（音声出力ステップ）。制御部７またはＤＡＢ制御部７２は、サービス・リンキング情報がリンケージ情報を含む場合に、サービス・リンキング情報に基づいてリンケージ情報を取得する（取得ステップ）。
【００６２】
制御部７は、リンケージ情報を取得したことを示すフラグを生成する（フラグ生成ステップ）。制御部７を第１の制御部であるＤＡＢ制御部７２と、ＤＡＢ制御部７２とは別体の第２の制御部であるＲＤＳ制御部７１で構成してもよい。この場合、ＤＡＢ制御部７２がフラグを生成し、ＤＡＢ制御部７２はフラグをＲＤＳ制御部７１へと転送する（転送ステップ）。ＲＤＳ受信部２は、フラグが生成された場合に、リンケージ情報が示すＰＩコードの地域コードを無視して地域コード以外が一致するＰＩコードのＲＤＳの放送をサーチする（サーチステップ）。サーチステップは、制御部７またはＲＤＳ制御部７１による制御で実行される。このサーチステップは、ラジオ放送受信機がリージョナルオンモードに設定されている場合でも実行される。
【００６３】
受信状態検出部６２は、受信ステップで受信するＤＡＢの放送の受信状態を検出し、制御部７またはＤＡＢ制御部７２は、受信状態検出部６２からの検出信号に基づいてＤＡＢの放送の受信状態を判定する（判定ステップ）。制御部７またはＤＡＢ制御部７２がＤＡＢの放送の受信状態が悪化したと判定したら、切り替え部１１を端子ａに接続させて、サーチステップでサーチしたＲＤＳの放送による音声へと切り替える（音声切り替えステップ）。
【００６４】
本発明は以上説明した第１及び第２実施形態に限定されるものではなく、本発明の要旨を逸脱しない範囲において種々変更可能である。
【符号の説明】
【００６５】
１，４  アンテナ
２  ＲＤＳ受信部
３  ＲＤＳ信号処理部
５  ＤＡＢ受信部
６  ＤＡＢ信号処理部
７  制御部（モード設定部，切り替え制御部）
１１  切り替え部
１３  スピーカ
３１  検波部
３２，６２  受信状態検出部
６１  復調部
６３  Ｄ／Ａ変換部
７１  ＲＤＳ制御部（モード設定部，切り替え制御部，第２の制御部）
７２  ＤＡＢ制御部（モード設定部，切り替え制御部，第１の制御部）
【図１】
2012249277.tif 000003
【図２】
2012249277.tif 000004
【図３】
2012249277.tif 000005
【図４】
2012249277.tif 000006
【図５】
2012249277.tif 000007
【図６】
2012249277.tif 000008
【図７】
2012249277.tif 000009